(57)【要約】【課題】  給電ハブ装置に接続されたコードレス電話装置の消費電力のさらなる省力化を実現することを目的とする。【解決手段】給電ハブ装置２は、複数のコードレス電話装置の記親機のそれぞれが接続される接続ポート２Ｐ（１）〜２Ｐ（ｎ）ごとに、接続された親機に対しての駆動電力の供給／停止を切り替える切替部２７（１）〜２７（ｎ）を備える。この切替部２７（１）〜２７（ｎ）は、主装置の給電管理部からの制御信号に応じて切替制御部２２の制御によって切り替え制御される。これにより、主装置からの制御に応じて、給電ハブ装置２は、接続ポートごとに親機への駆動電力の供給を完全に止めて、コードレス電話装置の消費電力の省力化を実現する。【選択図】図６
2019087863.tif 000002
【特許請求の範囲】
【請求項１】
親機と子機とが無線接続される複数のコードレス電話装置と、前記複数のコードレス電話装置のそれぞれの前記親機が接続され、前記親機のそれぞれに駆動電力を供給する給電ハブ装置と、前記給電ハブ装置を介して前記複数のコードレス電話装置を収容して、呼制御を行う主装置とからなり、
前記給電ハブ装置は、
前記親機のそれぞれが接続される接続ポートごとに、前記親機に対しての駆動電力の供給／停止を切り替える切替手段と、
前記主装置から供給される制御信号に応じて、前記切替手段を切り替える切替制御手段と
を備え、
前記主装置は、
前記給電ハブ装置に制御信号を供給することにより、複数の前記親機ごとに駆動電力の供給／停止を制御する給電管理手段を備える
ことを特徴とする電話システム。
【請求項２】
請求項１に記載の電話システムであって、
前記主装置は、
前記複数のコードレス電話装置のそれぞれの前記親機を、常時給電を継続する１以上の給電継続親機と前記給電継続親機以外の給電オフ親機とに分け、前記給電オフ親機と前記給電オフ親機が接続された前記給電ハブ装置の前記接続ポートとを関連付けて記憶する記憶手段を備え、
前記給電管理手段は、
所定のタイミングで、前記記憶手段の記憶情報に基づいて前記給電ハブ装置の前記切替手段を制御して、前記給電オフ親機への駆動電力の供給を停止するようにし、
前記給電継続親機から駆動電力を供給する前記コードレス電話装置の識別情報を含む主装置宛給電再開要求の提供を受けた場合には、当該コードレス電話装置の前記給電オフ親機が接続されている前記給電ハブ装置の前記接続ポートの前記切替手段を制御して、当該コードレス電話装置の当該給電オフ親機への駆動電力の供給を再開させ、
前記給電継続親機は、
給電を再開させる前記コードレス電話装置の前記給電オフ親機に対応付けられる前記子機からの前記コードレス電話装置の識別情報を含む親機宛給電再開要求を受け付ける受付手段と、
前記受付手段を通じて前記子機からの前記給電再開要求を受け付けた場合に、前記コードレス電話装置の識別情報を含む前記主装置宛給電再開要求を前記主装置に送信する親機側送信手段を備え、
前記給電オフ親機に対応付けられる前記子機は、
駆動電力を各部に供給するバッテリ手段と、
オフフック状態となり、かつ、自機が対応付けられている前記給電オフ親機との間で無線通信ができない場合に、自機を有する前記コードレス電話装置の識別情報を含む前記親機宛給電再開要求を前記給電継続親機に送信する子機側送信手段と
を備えることを特徴とする電話システム。
【請求項３】
請求項２に記載の電話システムであって、
前記主装置は、
前記給電継続親機に対して、前記親機宛給電再開要求を受け付けるコードレス電話装置の前記識別情報を通知する通知手段を備え、
前記給電継続親機の前記受付手段は、前記主装置から通知された前記識別情報を含む前記子機からの前記親機宛給電再開要求を受け付ける
ことを特徴とする電話システム。
【請求項４】
呼制御を行う主装置に接続される上位側接続ポートと、
親機と子機とが無線接続される複数のコードレス電話装置の前記親機のそれぞれが接続される下位側接続ポートと、
前記下位側接続ポートに接続される機器に対して駆動電力を供給する電力供給手段と、
前記下位側接続ポートごとに、前記電力供給手段から前記親機に対して供給するようにされる駆動電力の供給／停止を切り替える切替手段と
前記主装置から供給される制御信号に応じて、前記切替手段を切り替える切替制御手段と
を備えることを特徴とする電話システムの給電ハブ装置。
【請求項５】
親機と子機とが無線接続される複数のコードレス電話装置と、前記複数のコードレス電話装置のそれぞれの前記親機が接続され、前記親機のそれぞれに駆動電力を供給する給電ハブ装置と、前記給電ハブ装置を介して前記複数のコードレス電話装置を収容して、呼制御を行う主装置とからなる電話システムの前記主装置であって、
前記給電ハブ装置は、前記親機のそれぞれが接続される接続ポートごとに、前記親機に対しての駆動電力の供給／停止を切り替える切替手段を備えており、
前記給電ハブ装置に制御信号を供給することにより前記切替手段を制御して、複数の前記親機ごとに駆動電力の供給／停止を制御する給電管理手段を備える
ことを特徴とする主装置。
【請求項６】
親機と子機とが無線接続される複数のコードレス電話装置と、前記複数のコードレス電話装置のそれぞれの前記親機が接続され、前記親機のそれぞれに駆動電力を供給する給電ハブ装置と、前記給電ハブ装置を介して前記複数のコードレス電話装置を収容して、呼制御を行う主装置とからなる電話システムの前記コードレス電話装置であって、
前記複数のコードレス電話装置のそれぞれの前記親機は、常時給電を継続する１以上の給電継続親機と前記給電継続親機以外の給電オフ親機とに分けられ、
前記給電継続親機は、
給電を再開させる前記コードレス電話装置の前記給電オフ親機に対応付けられる前記子機からの前記コードレス電話装置の識別情報を含む親機宛給電再開要求を受け付ける受付手段と、
前記受付手段を通じて前記子機からの前記給電再開要求を受け付けた場合に、前記コードレス電話装置の識別情報を含む前記主装置宛給電再開要求を前記主装置に送信する親機側送信手段を備え、
前記給電オフ親機に対応付けられる前記子機は、
駆動電力を各部に供給するバッテリ手段と、
オフフック状態となり、かつ、自機が対応付けられている前記給電オフ親機との間で無線通信ができない場合に、自機を有する前記コードレス電話装置の識別情報を含む前記親機宛給電再開要求を前記給電継続親機に送信する子機側送信手段と
を備えることを特徴とするコードレス電話装置。
【発明の詳細な説明】
【技術分野】
【０００１】
この発明は、いわゆる給電ハブ装置を用いて構成される電話システム、当該電話システムで用いられる給電ハブ装置、主装置およびコードレス電話装置に関する。
【背景技術】
【０００２】
従来から、電話機では電力の消費を抑えることを目的として、待機状態にある時には省電力状態とし、一定間隔で起動する間欠動作を行う方式が用いられているものがある。また、後に記す特許文献１には、待機時の省電力状態にある時には、わずかな電流でオフフックを検知するように、使用時とは異なる第２電源を利用して省力化を行うようにする通信装置等に関する発明が開示されている。
【０００３】
これらの技術を用いた場合、待機時における消費電力をある程度までは低減させることはできる。しかしながら、間欠動作を行ったり、特許文献１に記載の発明の場合には省電力状態になったりしても、使用者（ユーザ）が電話を使用したいときには即座に使用が可能なように、ユーザが操作したオフフックを適切に検知するための最低限の電力は電話機に供給されている。したがって、完全に電話機への給電を止めることはできず、省電力化にも限界があった。
【先行技術文献】
【特許文献】
【０００４】
【特許文献１】特開２０１５−２５５０号公報
【発明の概要】
【発明が解決しようとする課題】
【０００５】
会社などにおいては、いわゆる主装置に対して複数の電話機を接続してビジネスホンシステム（ボタン電話システム）を構築して用いている。ビジネスホンシステムの場合、主装置に接続される電話機の台数も多いため、電話機の省電力化は重要な問題である。近年においては、主装置に対して、給電ハブ装置を介して、コードレス電話装置を接続することにより、ビジネスホンシステムを構築することも行われている。コードレス電話機は、例えばテンキーなどの操作キーを備えた本体を構成する親機と受話器部分（ハンドセット）を構成する子機とが近距離無線通信により接続され、親機と子機とを結ぶコードがないものである。
【０００６】
また、給電ハブ装置は、ＰｏＥ（Power Over Ethernet（登録商標））機能を備えたものである。ＰｏＥ機能は、ＬＡＮ（Local Area Network）を構築する際に使用するＬＡＮケーブル（ツイストペアケーブル）を通じて、接続機器に電力を供給する技術である。従って、給電ハブ装置に接続されたコードレス電話装置の親機は、給電ハブ装置から電力の供給を受けることができ、個々にＡＣアダプタを介して、商用電源に接続する必要もないため、商用電源が確保できない場所にもコードレス電話装置等を設置できる。一方、子機にはバッテリが搭載され、親機に載置された状態では当該バッテリへの充電が可能にされ、また、親機から離れた状態では内蔵されたバッテリからの電力供給により親機との間で無線通信が可能となり、電話機として機能する。
【０００７】
そして、給電ハブ装置においては、各コードレス電話装置の親機が接続される接続ポートごとに給電を止めることができる。従って、給電ハブ装置からの電力の供給を止めれば、コードレス電話装置の親機への給電を完全に止めることができるので、さらなる消費電力の省力化が図れる。しかし、親機への給電を止めれば親機と子機との間の無線通信が不能になるので、コードレス電話装置は電話機として機能しなくなる。このため、コードレス電話装置が接続された接続ポートを通じての電力供給は停止できないのが現実である。
【０００８】
以上のことに鑑み、給電ハブ装置に接続されたコードレス電話装置について、電話機の機能を損なうことなく、消費電力のさらなる省力化を実現することを目的とする。
【課題を解決するための手段】
【０００９】
上記課題を解決するため、請求項１に記載の発明の電話システムは、
親機と子機とが無線接続される複数のコードレス電話装置と、前記複数のコードレス電話装置のそれぞれの前記親機が接続され、前記親機のそれぞれに駆動電力を供給する給電ハブ装置と、前記給電ハブ装置を介して前記複数のコードレス電話装置を収容して、呼制御を行う主装置とからなり、
前記給電ハブ装置は、
前記親機のそれぞれが接続される接続ポートごとに、前記親機に対しての駆動電力の供給／停止を切り替える切替手段と、
前記主装置から供給される制御信号に応じて、前記切替手段を切り替える切替制御手段と
を備え、
前記主装置は、
前記給電ハブ装置に制御信号を供給することにより、複数の前記親機ごとに駆動電力の供給／停止を制御する給電管理手段を備える
ことを特徴とする。
【００１０】
この請求項１に記載の発明の電話システムによれば、給電ハブ装置は、複数のコードレス電話装置の親機のそれぞれが接続される接続ポートごとに、接続された親機に対しての駆動電力の供給／停止を切り替える切替手段を備えている。この切替手段は、主装置の給電管理手段からの制御信号に応じて切替制御手段によって切り替え制御がされる。すなわち、主装置からの制御によって、給電ハブ装置に接続されたコードレス電話装置の親機ごとに駆動電力の供給／停止が制御できるようにされる。
【発明の効果】
【００１１】
この発明によれば、コードレス電話装置の親機ごとに駆動電力の供給／停止を主装置が制御可能にすることにより、コードレス電話装置の消費電力のさらなる省力化が実現できる。
【図面の簡単な説明】
【００１２】
【図１】実施の形態の電話システムの全体の構成例を示すブロック図である。
【図２】主装置の構成例を説明するためのブロック図である。
【図３】接続機器管理テーブルの格納データの例を説明するための図である。
【図４】駆動電力オン／オフテーブルの格納データの例を説明するための図である。
【図５】ステータス管理テーブルの格納データの例を説明するためのブロック図である。
【図６】給電ハブ装置の構成例を説明するためのブロック図である。
【図７】親機の構成例を説明するためのブロック図である。
【図８】子機の構成例を説明するためのブロック図である。
【図９】機器間で送受される情報のフォーマットの例を説明するための図である。
【図１０】主装置の処理を説明するためのフローチャートである。
【図１１】給電ハブ装置の処理を説明するためのフローチャートである。
【図１２】給電継続親機の処理を説明するためのフローチャートである。
【図１３】子機の処理を説明するためのフローチャートである。
【発明を実施するための形態】
【００１３】
以下、図を参照しながら、この発明の電話システム、給電ハブ装置、主装置、コードレス電話装置の一実施の形態について説明する。以下に説明する実施の形態においては、例えば会社などにおいて、いわゆる主装置に対して複数の電話機を接続して形成されるビジネスホンシステム（ボタン電話システム）に、この発明を適用した場合を例にして説明する。
【００１４】
［電話システムの構成例］
図１は、この実施形態の電話システムの全体の構成例を示すブロック図である。この例の電話システムにおいては、主装置１に対し、給電ハブ装置２を介して、内線電話機として複数のコードレス電話装置３１、３２、・・・、３ｎが接続されている。なお、コードレス電話装置３ｎのように、添字として用いている文字ｎは、１以上の整数を意味するが、例えば、図１においては、コードレス電話装置３１、３２が存在しているので、図１における添え字ｎは、３以上の整数となる。添え字ｎは、以下同様に使用している。
【００１５】
コードレス電話装置３１〜３ｎのそれぞれは、親機としてのベースセット（本体部）ＢＳ１、ＢＳ２、・・・、ＢＳｎのそれぞれと、子機としてのハンドセットＨＳ１、ＨＳ２、・・・、ＨＳｎのそれぞれとからなる。親機ＢＳ１〜ＢＳｎのそれぞれと、子機ＨＳ１〜ＨＳｎのそれぞれとは、無線接続される。すなわち、コードレス電話装置３１〜３ｎのそれぞれは、親機と子機とを接続するコードがない、いわゆるカールコードレス電話装置と呼ばれるビジネスホン（ボタン電話）である。
【００１６】
コードレス電話装置３１〜３ｎの親機ＢＳ１〜ＢＳｎのそれぞれと、子機ＨＳ１〜ＨＳｎのそれぞれとの間の無線接続は、Ｂｌｕｅｔｏｏｔｈ（登録商標）方式やＤＥＣＴ（登録商標）方式が用いられる。Ｂｌｕｅｔｏｏｔｈ（登録商標）方式は、２．４ＧＨｚ帯の信号を用いて親機と子機との間の通信を行うもので、多くの場合１０ｍ程度の距離の範囲内で無線通信が可能である。ＤＥＣＴ（登録商標）方式は、１．９ＧＨｚ帯の信号を用いて親機と子機との間で通信を行うもので、混信の影響が少なく、多くの場合数十メートルの距離の範囲内で無線通信が可能である。
【００１７】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置３１、３２、・・・、３ｎのみではなく、通常のビジネスホンと同様に、デジタルボタン電話端末も接続することも可能である。
【００１８】
主装置１は、後述もするが、ＳＩＰ（Session Initiation Protocol）サーバー機能を備え、ＩＰ（Internet Protocol）網に接続される電話回線と従来からの公衆交換電話網（以下、単に電話網と記載する。）に接続される電話回線とを収容可能である。そして、コードレス電話装置３１〜３ｎのそれぞれの親機ＢＳ１〜ＢＳｎが、給電ハブ装置２を介して、主装置１に接続されている。主装置１は、複数のコードレス電話装置３１〜３ｎについての呼制御及び回線交換制御、その他のビジネスホンとしての制御を行う。
【００１９】
給電ハブ装置２は、通信ネットワークの中継装置の１つで、ＬＡＮ接続用の複数の接続ポートを備え、受け取ったデータを各接続ポートに接続された全ての機器には送信せずに、宛先を確認して関係する機器のみに送信する機能を有する。また、給電ハブ装置２は、基準同期信号ＳＹＮＣ（第１の同期信号）を生成し、自機の接続ポートに接続された複数のコードレス電話装置３１〜３ｎなどの下位装置のそれぞれに供給する機能を備えている。
【００２０】
更に、給電ハブ装置２は、上述したＰｏＥ機能を備え、例えば商用電源に接続されて電力の供給を受けると共に、自機の接続ポートにＬＡＮ接続されるコードレス電話装置３１〜３ｎの親機ＢＳ１〜ＢＳｎのそれぞれに対して駆動電力を供給する。このように、給電ハブ装置２は給電機器（ＰＳＥ（Power Sourcing Equipment））であり、コードレス電話装置３１〜３ｎの親機ＢＳ１〜ＢＳｎは受電機器（ＰＤ（Powered Device））である。これにより、給電ハブ装置２にＬＡＮ接続されるコードレス電話装置３１〜３ｎの親機ＢＳ１〜ＢＳｎのそれぞれは、独自に電源の確保をする必要がないので、商用電源のコンセントがない場所への配置も可能となる。
【００２１】
そして、給電ハブ装置２は、後述もするが、複数の接続ポートのそれぞれごとに、受電機器である親機ＢＳ１〜ＢＳｎに対して駆動電力の供給／停止を切り替える切替部を備えている。また、給電ハブ装置２は、主装置１から供給される制御信号に応じて、切替部の切り替え制御を行う切替制御部を備えている。そして、この実施の形態の主装置１は、コードレス電話装置３１〜３ｎについての呼制御や回線交換制御に加えて、給電ハブ装置２を通じての親機ＢＳ１〜ＢＳｎへの駆動電力の供給制御も行う。このため、詳細は後述するが、主装置１では、給電ハブ装置２の複数の接続ポートごとに、どのコードレス電話装置が接続されているのかを管理している。
【００２２】
主装置１が行う親機ＢＳ１〜ＢＳｎへの駆動電力の供給制御は、システムモード設定、Ｗｅｂ設定、コードレス電話装置のメニュー等を通じた設定に応じて行うことができる。なお、システムモード設定は、システム全体に関する設定を例えば主装置１に接続された操作部を通じて主装置１に対して直接に行うものである。また、Ｗｅｂ設定は、例えばパーソナルコンピュータを用い、インターネットを通じて主装置１にアクセスし、主装置１に対して行うものである。コードレス電話装置のメニュー等を通じた設定は、給電ハブ装置２に接続されたコードレス電話装置を通じて主装置１に対して行うものである。
【００２３】
このように、主装置１に対して、いくつかの経路を通じて、給電ハブ装置２の接続ポートごとに駆動電力の給電／停止を制御するための設定情報を設定し、これに応じて主装置１が、給電ハブ装置２の接続ポートごとに駆動電力の供給／停止を制御できる。そして、親機ＢＳ１〜ＢＳｎへの駆動電力の供給を完全に停止することができれば、従来のように間欠動作させる場合よりも、コードレス電話装置の消費電力の省力化を図ることができる。
【００２４】
しかしながら、給電ハブ装置２に接続されたコードレス電話装置３１〜３ｎのすべての親機ＢＳ１〜ＢＳｎへの駆動電力の供給を停止させた場合、親機ＢＳ１〜ＢＳｎの機能は完全に停止し、コードレス電話装置３１〜３ｎは使用できない状態となる。このように、親機ＢＳ１〜ＢＳｎへの駆動電力の供給を停止している場合には、緊急にコードレス電話装置３１〜３ｎを使用したい場合などにおいて使用できないことになり、電話システムがその役割を十分に果たすことができない。
【００２５】
ここで、コードレス電話装置を構成する親機と子機とのそれぞれの構成に着目する。親機ＢＳ１〜ＢＳｎは、給電ハブ装置２から駆動電力の供給を受けないと動作することはできない。しかし、子機ＨＳ１〜ＨＳｎは、内蔵するバッテリから駆動電力の供給を受けることができるので、親機ＢＳ１〜ＢＳｎに駆動電力が供給されていない状態でも動作可能である。この実施の形態の電話システムでは、親機ＢＳ１〜ＢＳｎに駆動電力が供給されずに全ての機能が停止した状態でも、対応する子機ＨＳ１〜ＨＳｎはバッテリ駆動であるために動作可能である点を利用して、駆動電力の供給制御を行う。
【００２６】
具体的に、この実施の形態の電話システムでは、例えば、午後８時から午前８時までは給電ハブ装置２に接続されたコードレス電話装置３１〜３ｎの親機への駆動電力の供給を停止するように制御するとする。この場合に、給電ハブ装置２に接続された親機ＢＳ１〜ＢＳｎの内、少なくとも１つの親機、例えば親機ＢＳ１には給電ハブ装置２を通じて駆動電力を供給し、例えば間欠受信を行う態様で動作する状態を維持する。そして、駆動電力の供給が停止された例えば親機ＢＳ３に対応する子機ＨＳ３が、オフフックするようにされたとする。この場合、子機ＨＳ３は、コードレス電話装置３３の識別情報を含む給電再開要求を、駆動電力の供給が維持されている親機ＢＳ１を通じて主装置１に通知する。
【００２７】
これにより、主装置１は、当該給電再開要求に含まれるコードレス電話装置３３の識別情報に基づき、コードレス電話装置３３の親機ＢＳ３が接続されている接続ポートを通じて親機ＢＳ３への駆動電力の供給を再開するように給電ハブ装置２を制御する。これにより、オフフック操作された子機ＨＳ３に対応する親機ＢＳ３への駆動電力の供給が再開され、当該親機ＢＳ３と子機ＨＳ３とからなるコードレス電話装置３３が利用可能にされる。
【００２８】
このように、この実施の形態の電話システムは、主装置１の制御により、給電ハブ装置２の接続ポートごとに、これに接続されたコードレス電話装置３１〜３ｎの親機ＢＳ１〜ＢＳｎへの駆動電力の供給／停止を制御できる。そして、親機ＢＳ１〜親機ＢＳｎのうちの１つの親機には、駆動電力を供給して動作させるようにしておく。この後に、駆動電力の供給が停止された親機に対応する子機がオフフックされたたら、オフフックされた当該子機からの供給再開要求が、駆動電力が供給されている親機を通じて主装置１に送信する。これにより、主装置１が給電ハブ装置２を制御して、オフフックされた子機に対応する親機への駆動電力の供給を再開させることができるようにしている。
【００２９】
以下、この実施の形態の電話システムを構成する主装置１と、給電ハブ装置２と、コードレス電話装置３１〜３ｎを構成する親機ＢＳ１〜ＢＳｎと子機ＨＳ１〜ＨＳｎとの構成例について説明する。
【００３０】
［主装置１の構成例］
図２は、主装置１の構成例を説明するためのブロック図である。図２に示すように、主装置１は、ＩＰ網への接続ポート１０１と、ＩＰ網インターフェース（以下、ＩＰ網Ｉ／Ｆと略称する。）１０２と、パケット分解／生成部１０３とを備えている。また、主装置１は、電話網への接続ポート１０４と、電話網インターフェース（以下、電話網Ｉ／Ｆと略称する。）１０５と、給電管理部１０６とを備えている。
【００３１】
更に、主装置１は、接続機器管理テーブル１０７と、駆動電力オン／オフテーブル１０８と、ステータス管理テーブル１０９とを備えている。また、主装置１は、ＬＡＮへの接続ポート１１０と、ＬＡＮインターフェース（以下、ＬＡＮＩ／Ｆと略称する。）１１１と、制御部１２０とを備えている。また、図示しないが主装置１は、例えば時計回路を備えるなどして、現在時刻を取得することができるものである。
【００３２】
制御部１２０は、図示しないが、ＣＰＵ（Central Processing Unit）、ＲＯＭ（Read Only Memory）、ＲＡＭ（Random Access Memory）、不揮発性メモリなどがバスを通じて接続されて構成されたマイクロプロセッサである。そして、制御部１２０は、この実施の形態の主装置１の各部を制御する。接続ポート１０１は、ＩＰ網への接続端部を構成する。ＩＰ網Ｉ／Ｆ１０２は、ＩＰ網を通じて供給されるパケットを受け付けて、これを自機において処理可能な形式のパケットに変換して取り込む。また、ＩＰ網Ｉ／Ｆ１０２は、供給される送信すべきパケットを送信用の形式のパケットに変換して、これをＩＰ網に送出する。
【００３３】
接続ポート１０４は、電話網への接続端部を構成する。電話網Ｉ／Ｆ１０５は、電話網を通じて供給されるデータを受け付けて、これを自機において処理可能な形式のデータに変換して取り込む。また、電話網Ｉ／Ｆ１０５は、供給される送信すべきデータを送信用の形式のデータに変換して、これを電話網に送出する。接続ポート１１０はＬＡＮへの接続端部を構成するものである。ＬＡＮＩ／Ｆ１１１は、ＬＡＮを通じて供給されるパケットを受け付けて、これを自機において処理可能な形式のパケットに変換して取り込む。また、ＬＡＮＩ／Ｆ１１１は、供給される送信すべきパケットを送信用の形式のパケットに変換して、これをＬＡＮに送出する。
【００３４】
パケット分解／生成部１０３は、パケットの分解や生成を行うものであり、主に、電話網に接続された端末装置と主装置１の配下のコードレス電話装置３１〜３ｎなどのＩＰ電話端末との間で通話を行う場合に、送受するパケットの分解や生成を行う。なお、ＩＰ網に接続された外部の端末装置と、主装置１に給電ハブ装置２を介して接続されるコードレス電話装置３１〜３ｎなどとの間では、パケットが送受される。
【００３５】
このため、パケット分解／生成部１０３において、パケットの分解や生成は行われることはなく、ＩＰ網Ｉ／Ｆ１０２、ＬＡＮＩ／Ｆ１１１において、データ形式が整えられてそのまま送受される。同様に、主装置１に給電ハブ装置２を介して接続されるコードレス電話装置３１〜３ｎ間においても、パケットが送受されるため、パケット分解／生成部１０３において、パケットの分解や生成は行われることはなく、ＬＡＮＩ／Ｆ１１１を通じてパケットが送受される。
【００３６】
給電管理部１０６は、制御部１２０の制御の下、ＬＡＮＩ／Ｆ１１１及び接続ポート１１０を通じて自機に接続された給電ハブ装置２が備える接続ポートごとに、駆動電力の供給／停止を制御するための制御信号を形成し、これを当該給電ハブ装置２に供給する。この場合、給電管理部１０６は、接続機器管理テーブル１０７、駆動電力オン／オフテーブル１０８、ステータス管理テーブル１０９の各格納データに基づいて、自機に接続されている給電ハブ装置２を制御する。なお、接続機器管理テーブル１０７、駆動電力オン／オフテーブル１０８、ステータス管理テーブル１０９のそれぞれは、例えばハードディスクなどの記録媒体に作成されているものである。
【００３７】
接続機器管理テーブル１０７は、レジストラ・サーバ機能を実現するために、ＩＰ網やＬＡＮに接続され、この主装置１を通じて呼び出す可能性のある端末装置についてのアドレス情報などを記憶保持する。具体的には、主装置１の制御部１２０は、ＩＰ網Ｉ／Ｆ１０２やＬＡＮＩ／Ｆ１１１を通じて、これらに接続されている種々の端末装置からの登録要求（レジスタ・リクエスト）を受信する。この場合に、制御部１２０は、受信した要求に含まれるＩＰアドレスなどの必要となる情報を抽出する。そして、制御部１２０は、抽出した情報を接続機器管理テーブル１０７に登録したり、抽出した情報を用いて接続機器管理テーブル１０７の登録情報を更新したりする。
【００３８】
このようにして、接続機器管理テーブル１０７に登録されて管理される情報が参照され、自機にＬＡＮを通じて接続されるコードレス電話装置３１〜３ｎなどから要求のあった通信先を確実に特定する。そして、その特定した相手先に送信すべき情報（パケットデータ）を転送するようにするプロキシ・サーバとしての機能を主装置１が実現する。また、接続機器管理テーブル１０７に登録されて管理される情報は、自機にＬＡＮを通じて接続されるコードレス電話装置３１〜３ｎなどへの着信の判別などにも用いられる。
【００３９】
図３は、接続機器管理テーブル１０７の格納データの例を説明するための図である。接続機器管理テーブル１０７においては、ＩＰ網に接続された他のＩＰ電話システムの端末装置のアドレス情報についても管理できる。しかし、この発明は、主装置１に給電ハブ装置２を介して接続されるコードレス電話装置３１〜３ｎの親機ＢＳ１〜ＢＳｎへの駆動電力の供給制御を行う点をポイントとするものである。このため、図３においては、主装置１に給電ハブ装置２を介して接続されたコードレス電話装置３１〜３ｎについての情報を示している。なお、ＩＰ網に接続された他のＩＰ電話システムの端末装置のアドレス情報については、別途、アドレス管理データベースを設けて管理することもできる。
【００４０】
図３に示すように、接続機器管理テーブル１０７は、整理番号、内線番号、ＩＰアドレス、ハブ識別子、ポート識別子、区分、ペアリング先といった情報を備える。この実施の形態において、整理番号は、コードレス電話装置３１〜３ｎのそれぞれに設けられている操作キーによって、コードレス電話装置３１〜３ｎのそれぞれごとに設定されるコードレス電話装置３１〜３ｎごとに固有の番号である。この整理番号によって、主装置１は、コードレス電話装置３１〜３ｎのそれぞれを特定できる。
【００４１】
内線番号は、コードレス電話装置３１〜３ｎのそれぞれごとに割り当てられる内線通話用の番号である。上述の整理番号が主に主装置１において各コードレス電話装置を特定するために用いられるのに対して、内線番号は、使用者（ユーザ）が認識して、コードレス電話装置３１〜３ｎのそれぞれを特定できるものである。ＩＰアドレスは、各コードレス電話装置３１〜３ｎに割り当てられた固有の識別情報であり、各コードレス電話装置３１〜３ｎのインターネット上における所在を特定する情報である。
【００４２】
ハブ識別子は、各コードレス電話装置が接続されている給電ハブ装置２を特定する情報である。この実施の形態の電話システムは、図１に示したように、主装置１に対して１つの給電ハブ装置２が接続されている。しかし、主装置１に対して複数の給電ハブ装置を並列に接続したり、また、給電ハブ装置２に対して他の給電ハブ装置を接続するといったように、複数の給電ハブ装置を直列に接続したりすることにより、規模の大きな電話システムを構築することもできる。このように、複数の給電ハブ装置を用いて電話システムを構築した場合に、各コードレス電話装置３１〜３ｎのそれぞれが接続された給電ハブ装置を特定できるようにしている。
【００４３】
ポート識別子は、各コードレス電話装置３１〜３ｎのそれぞれが接続されている給電ハブ装置２において、どの接続ポートに接続されているのかを示すものである。従って、ハブ識別子とポート識別子とによって、コードレス電話装置３１〜３ｎの親機ＢＳ１〜ＢＳｎのそれぞれが、どの給電ハブ装置のどの接続ポートに接続されているのかを把握することができる。区分は、各コードレス電話装置３１〜３ｎの親機ＢＳ１〜ＢＳｎのそれぞれが、駆動電力の供給が停止されない供給継続親機か、駆動電力の供給が停止されることのある供給オフ親機かを示す。この実施の形態では、供給継続親機の区分は「１」であり、供給オフ親機の区分は「０」である。
【００４４】
ペアリング先は、各コードレス電話装置３１〜３ｎの子機ＨＳ１〜ＨＳｎごとに、給電再開要求の送信先となる給電継続親機を特定する情報である。実際には、給電継続親機には、どの子機からの給電再開要求を受信するかの設定がなされており、子機ＨＳ１〜ＨＳｎからの給電再開要求は、ペアリングされた給電継続親機で受信されて処理される。
【００４５】
そして、図３に示した接続機器管理テーブル１０７では、当該電話システムは、７台のコードレス電話装置が接続されており、その整理番号は「００１」〜「００７」であり、内線番号は「１０１」〜「１０７」であることが示されている。また、各コードレス電話装置のＩＰアドレスは、「１９２．１６８．１．１０」〜「１９２．１６８．１．７０」であり、いずれのコードレス電話装置もハブ識別子が「ＨＵＢ０１」で特定される同じ給電ハブ装置２に接続されていることが示されている。
【００４６】
また、ポート識別子により、どの接続ポートにどのコードレス電話装置の親機が接続されているのかも示されている。一例を示せば、ポート識別子が「０１」の接続ポートには、整理番号が「００１」のコードレス電話装置の親機が接続され、ポート識別子が「０２」の接続ポートには、整理番号が「００２」のコードレス電話装置の親機が接続されていることが示されている。
【００４７】
また、図３においては、整理番号が「００１」のコードレス電話装置の親機が駆動電力の供給が停止されることのない供給継続親機であることが示されている。また、整理番号が「００２」〜「００７」のコードレス電話装置の親機が駆動電力の供給が停止されることのある供給オフ親機であることが示されている。更に、整理番号が「００２」〜「００７」のコードレス電話装置の子機の供給再開要求の送信先は、整理番号が「００１」の供給継続親機であることが示されている。
【００４８】
なお、この実施の形態においては、コードレス電話装置３ｎの整理番号は「００ｎ」であるものとして説明する。すなわち、親機ＢＳ１と子機ＨＳ１とからなるコードレス電話装置３１の整理番号は「００１」であり、親機ＢＳ２と子機ＨＳ２とからなるコードレス電話装置３２の整理番号は「００２」である。このように、親機、子機、コードレス電話装置のそれぞれの参照符号ＢＳｎ、ＨＳｎ、３ｎのサフィックス「ｎ」と整理番号が対応しているものとして説明する。
【００４９】
図４は、駆動電力オン／オフテーブル１０８の格納データの例を説明するための図である。図４に示すように、駆動電力オン／オフテーブル１０８は、整理番号、内線番号、電源オフ時刻、電源オン時刻の各情報を備える。整理番号と内線番号とは、図３を用いて説明した接続機器管理テーブル１０７の整理番号と内線番号とに対応するものである。そして、電源オフ時刻は、コードレス電話装置３１〜３ｎの親機への駆動電力の供給を停止する時刻を示す。また、電源オン時刻は、供給を停止したコードレス電話装置３１〜３ｎの親機への駆動電力の供給を再開する時刻を示す。
【００５０】
したがって、図４に示した駆動電力オン／オフテーブル１０８では、主装置１には、７台のコードレス電話装置が接続されており、その整理番号は「００１」〜「００７」であり、内線番号は「１０１」〜「１０７」であることが示されている。そして、整理番号が「００１」で内線番号が「１０１」のコードレス電話装置３１は、電源オフ時刻と電源オン時刻とは設定されておらず、駆動電力の供給が常時継続されるものであることが示されている。そして、整理番号が「００２」〜「００７」のコードレス電話装置３２〜３７は、「２０時（午後８時）」には、駆動電力の供給が停止され、「８時（午前８時）」には、駆動電力の供給が再開されるように情報が設定されている。
【００５１】
図５は、ステータス管理テーブル１０９の格納データの例を説明するための図である。図５に示すように、ステータス管理テーブル１０９は、整理番号、内線番号、電源ステータス、動作ステータスの各情報を備える。整理番号と内線番号とは、図３を用いて説明した接続機器管理テーブル１０７の整理番号と内線番号とに対応するものである。
【００５２】
そして、電源ステータスは、各コードレス電話装置３１〜３７の親機ＢＳ１〜ＢＳ７に駆動電力を供給しているか否かを示す情報であり、「１（オン）」であれば供給中であり、「０（オフ）」であれば停止中であることを示している。また、動作ステータスは、各コードレス電話装置３１〜３７が、どのような状態にあるのかを示している。具体的に動作ステータスは、オンフック状態、オフフック状態、外線呼び出し中、内線呼び出し中、外線通話中、内線通話中など、コードレス電話装置３１〜３７のそれぞれの状態を示す。
【００５３】
したがって、図５に示したステータス管理テーブル１０９では、主装置１には、７台のコードレス電話装置が接続されており、その整理番号は「００１」〜「００７」であり、内線番号は「１０１」〜「１０７」であることが示されている。そして、整理番号が「００１」のコードレス電話装置３１は、駆動電力は供給中で、オンフック状態にあり、整理番号が「００４」のコードレス電話装置３４は、駆動電力は供給中で、外線通話中であることが示されている。また、整理番号が「００２」、「００３」、「００５」、「００６」、「００７」のコードレス電話装置３２、３３、３５、３６、３７のそれぞれは、駆動電力の供給は停止中で、完全に機能が停止されている状態であることが示されている。
【００５４】
そして、主装置１の主要な機能は、呼制御や回線交換制御である。更に、この実施の形態の主装置１は、給電管理部１０６、接続機器管理テーブル１０７、駆動電力オン／オフテーブル１０８、ステータス管理テーブル１０９を備え、給電ハブ装置２を通じての親機ＢＳ１〜ＢＳｎへの駆動電力の供給制御をも行うものである。
【００５５】
［給電ハブ装置２の構成例］
図６は、給電ハブ装置２の構成例を説明するためのブロック図である。図６に示すように、給電ハブ装置２は、ＬＡＮＩ／Ｆ２１と、切替制御部２２と、複数のＬＡＮＩ／Ｆ２３（１）〜２３（ｎ）と、ＬＡＮＩ／Ｆ２３（１）〜２３（ｎ）に対応する接続ポート２Ｐ（１）〜２Ｐ（ｎ）を備える。
【００５６】
ＬＡＮＩ／Ｆ２１は、自機よりも上位の装置との間でデータを送受するためのインターフェースである。切替制御部２２は、受信データの送信先を確認し、目的とする送信先に対してだけ当該受信データを送信する機能を実現する。切替制御部２２は、図示しないメモリにおいて、接続ポートごとに、接続されている機器のＭＡＣアドレスやＩＰアドレス管理し、どの接続ポートにどの機器が接続されているのかを適切に管理している。また、切替制御部２２は、主装置１からの制御信号に基づいて、後述する切替部２７（１）〜２７（ｎ）の切り替え制御も行う。
【００５７】
複数のＬＡＮＩ／Ｆ２３（１）〜２３（ｎ）のそれぞれは、自機よりも下位の装置との間でデータを送受するためのインターフェースである。そして、下位側の複数のＬＡＮＩ／Ｆ２３（１）〜２３（ｎ）のそれぞれは、少なくとも音声信号や呼制御信号などがパケット化されたパケットデータＤｔの伝送に用いられるデータラインと、基準同期信号ＳＹＮＣの伝送に用いられる基準同期信号ラインと、駆動電力ＰＷの供給に用いられる電力供給ラインを備えている。接続ポート２Ｐ（１）〜２Ｐ（ｎ）は、下位の装置とＬＡＮＩ／Ｆ２３（１）〜２３（ｎ）との接続端部を構成する。接続ポート２Ｐ（１）〜２Ｐ（ｎ）にＬＡＮケーブルを接続することにより、それらの複数の信号ラインを同時にＬＡＮＩ／Ｆ２１、ＬＡＮＩ／Ｆ２３（１）〜２３（ｎ）に接続可能になっている。
【００５８】
また、給電ハブ装置２は、基準信号を発振する発振器２４と、発振器２４からの基準信号に基づいて、１３０ｍｓの基準同期信号ＳＹＮＣを生成する同期信号生成回路２５とを備えている。更に、給電ハブ装置２は、商用電源から下位装置に供給する駆動電力を生成する電源回路２６を備えると共に、この電源回路２６と各ＬＡＮＩ／Ｆ２３（１）〜２３（ｎ）との間に、切替部２７（１）〜２７（ｎ）を備えている。切替部２７（１）〜２７（ｎ）は、主装置１からの制御信号に応じた切替制御部２２の制御により、電源回路２６からの駆動電力を下位装置に供給するか否かを切り替えるものである。
【００５９】
そして、給電ハブ装置２は、中継装置として機能するが、下位装置に対して駆動電力を供給する機能であるＰｏＥ機能を備えると共に、主装置１の制御の下、接続ポート２Ｐ（１）〜２Ｐ（ｎ）ごとに、駆動電力の供給／停止を制御することができるものである。
【００６０】
［コードレス電話装置３の構成例］
次に、コードレス電話装置３１〜３ｎの親機ＢＳ１〜ＢＳｎと子機ＨＳ１〜ＨＳｎの構成例について説明する。この実施の形態において、コードレス電話装置３１〜３ｎの親機ＢＳ１〜ＢＳｎは同様に構成されるものである。コードレス電話装置３１〜３ｎの子機ＨＳ１〜ＨＳｎまた同様に構成されるものである。このため、以下においては、親機ＢＳ１〜ＢＳｎの構成例として、コードレス電話装置３１の親機ＢＳ１の構成例について説明し、子機ＨＳ１〜ＨＳｎの構成例として、コードレス電話装置３１の子機ＨＳ１の構成例について説明することとする。
【００６１】
＜親機ＢＳ１の構成例＞
図７は、親機ＢＳ１の構成例を説明するためのブロック図である。図７に示すように、親機ＢＳ１は、親機ＢＳ１の全体を制御するための制御回路４１と、回線ＬＳＩ部４２と、同期信号発生回路４３と、無線通信回路４４と、発振器４５及び４６と、ＬＡＮＩ／Ｆ４７と、接続ポート４Ｐとを備える。更に、親機ＢＳ１は、電源供給回路４８と、充電部４９とを備える。
【００６２】
ＬＡＮＩ／Ｆ４７は、自機よりも上位の装置との間で信号を送受するためのインターフェースである。ＬＡＮＩ／Ｆ４７は、少なくとも音声信号や呼制御信号などのパケットデータＤｔの伝送に用いられるデータラインと、基準同期信号ＳＹＮＣの伝送に用いられる基準同期信号ラインと、駆動電力ＰＷの伝送に用いられる電力供給ラインとを備える。接続ポート４Ｐは、上位装置とＬＡＮＩ／Ｆ４７との接続端部を構成する。接続ポート４ＰにＬＡＮケーブルを接続することにより、それらの複数の信号ラインを同時にＬＡＮＩ／Ｆ４７に接続可能になっている。
【００６３】
制御回路４１は、図示しないがＣＰＵ、ＲＯＭ、ＲＡＭなどがバスを通じて接続されることにより形成されたマイクロプロセッサである。制御回路４１は、親機ＢＳ１における呼制御などの制御を行う機能を備える。また、制御回路４１は、自機が給電継続親機として機能するものである場合、自機が給電再開要求を受け付ける他のコードレス電話装置の識別情報を記憶保持するメモリ４１１を備える。そして、親機ＢＳ１において、メモリ４１１に記憶されている識別情報により特定されるコードレス電話装置の子機から給電再開要求を受信したとする。この場合、制御回路４１は、当該識別情報により特定されるコードレス電話装置の親機に対して駆動電力の供給再開を要求する給電再開要求を形成し、これを主装置１に送信する機能を実現する。
【００６４】
回線ＬＳＩ部４２は、主装置１との間で音声信号及び制御信号のやり取りをするための回路であり、パケット分解／生成部４２１と、制御信号処理部４２２と、音声信号処理部４２３と、ＰＬＬ（Phase locked Loop）部４２４とからなる。ＰＬＬ部４２４には、発振器４５からの基準周波数の発振信号が供給されると共に、主装置１からの基準同期信号ＳＹＮＣが供給される。
【００６５】
ＰＬＬ部４２４は、主装置１からの基準同期信号ＳＹＮＣと発振器４５からの発振信号とを位相比較して、その比較結果に基づいて、発振器４５の発振信号から、基準同期信号ＳＹＮＣに同期する親機ＢＳ１のシステムクロック信号ＳＣＫを生成する。そして、ＰＬＬ部４２４は、生成したシステムクロック信号ＳＣＫをパケット分解／生成部４２１、制御信号処理部４２２、音声信号処理部４２３のそれぞれに、信号処理用クロック信号として供給すると共に、同期信号発生回路４３に供給する。
【００６６】
パケット分解／生成部４２１は、音声信号や制御信号がパケット化されたパケットデータＤｔを伝送するデータラインが接続されると共に、制御信号処理部４２２、音声信号処理部４２３に接続される。そして、パケット分解／生成部４２１は、給電ハブ装置２を介して送信されて来る主装置１からのパケットデータＤｔを分解し、制御信号と音声信号とを抽出して、制御信号は制御信号処理部４２２に、音声信号は音声信号処理部４２３に、それぞれ供給する。また、パケット分解／生成部４２１は、制御信号処理部４２２からの制御信号と、音声信号処理部４２３からの音声信号とをパケット化してパケットデータを生成し、その生成したパケットデータを、給電ハブ装置２を介して主装置１に供給するようにする。
【００６７】
制御信号処理部４２２は、制御回路４１の制御信号入出力端に接続されると共に、パケット分解／生成部４２１に接続されており、発信時及び着信時、また、終話時などにおける呼制御信号などの制御信号（主装置１からコードレス電話装置３１への制御信号と、コードレス電話装置３１から主装置１への制御信号の両方）の処理回路である。音声信号処理部４２３は、無線通信回路４４に接続されると共に、パケット分解／生成部４２１に接続されており、無線通信回路４４からの子機ＨＳ１から受信した送話音声信号及びパケット分解／生成部４２１からの受話音声信号の処理回路である。
【００６８】
同期信号発生回路４３は、カウンタ４３１と、同期信号生成部４３２とからなる。カウンタ４３１には、給電ハブ装置２からの基準同期信号ＳＹＮＣがプリセット端子に供給されると共に、ＰＬＬ部４２４からのシステムクロック信号ＳＣＫがカウント入力として供給される。そして、このカウンタ４３１の出力カウント値ＣＮＴが同期信号生成部４３２に供給される。同期信号生成部４３２は、カウンタ４３１の出力カウント値ＣＮＴから、フレーム周期のフレーム同期信号ＦＬを発生する。同期信号発生回路４３は、同期信号生成部４３２で生成したフレーム同期信号ＦＬを無線通信回路４４に供給する。
【００６９】
無線通信回路４４は、制御部４４１と、変復調部４４２と、無線通信部４４３とを備えて構成されている。無線通信部４４３は、子機ＨＳ１との間で、無線通信を行うための回路部である。制御部４４１は、変復調部４４２及び無線通信部４４３に接続されると共に、制御回路４１に接続されている。制御部４４１は、この無線通信回路４４の全体の動作を制御すると共に、制御回路４１から得た制御信号に基づく制御信号を変復調部４４２に供給する。
【００７０】
変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。この変復調部４４２で変調された信号は、無線通信部４４３を通じて子機ＨＳ１に送信される。
【００７１】
また、変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。そして、変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。
【００７２】
ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。変復調部４４２は、フレーム同期信号ＦＬに同期するタイミング信号及びクロック信号を用いて、例えば、割り当て使用可能となるダウンリンクでのスロットの一つに相当する期間で子機ＨＳ１への送信信号を生成すると共に、アップリンクでのスロットの一つを用いて、子機ＨＳ１からの受信信号の処理を行うようにする。
【００７３】
電源供給回路４８は、ＬＡＮＩ／Ｆ４７に接続され、電力供給ラインを通じて給電ハブ装置２から供給される駆動電力の供給を受ける。そして、電源供給回路４８は、親機ＢＳ１の各部に供給する電力を生成して各部に供給する。これにより、親機ＢＳ１の各部に電力が供給され、親機ＢＳ１が機能するようにされる。充電部４９は、子機ＨＳ１に搭載された内蔵バッテリとの接続端子を備え、子機ＨＳ１の内蔵バッテリに電力を供給して、当該内蔵バッテリに対して充電を行う。なお、電源供給回路４８に給電ハブ装置２からの駆動電力が供給されていない場合には、親機ＢＳ１の各部に電力は供給されないので、親機ＢＳ１はそのすべての機能を停止させ、電力の消費は行われないようになっている。
【００７４】
＜子機ＨＳ１の構成例＞
図８は、子機ＨＳ１の構成例を説明するためのブロック図である。この図８に示すように、子機ＨＳ１は、無線通信回路５１と、制御回路５２と、コーデック回路５３と、発振器５４と、マイクロホン５５と、スピーカ５６とを備える。マイクロホン５５は送話器を構成し、スピーカ５６は受話器を構成する。更に、子機ＨＳ１は、充電部５７と、バッテリ５８と、電源供給回路５９とを備える。
【００７５】
無線通信回路５１は、制御部５１１と、変復調部５１２と、無線通信部（ＲＦ部）５１３とを備えて構成されている。無線通信部５１３は、親機ＢＳ１との間で、無線通信を行うための回路部である。制御部５１１は、変復調部５１２及び無線通信部５１３に接続されると共に、制御回路５２に接続されている。制御部５１１は、無線通信回路５１の全体の動作を制御すると共に、制御回路５２から得た制御信号に基づく制御信号を変復調部５１２に供給する。
【００７６】
変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。変復調部５１２で変調された信号は、無線通信部５１３を通じて親機ＢＳ１に送信される。また、変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００７７】
そして、変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、変復調部５１２における処理用クロック信号とされる。
【００７８】
コーデック回路５３は、変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、変復調部５１２に供給するようにする。
【００７９】
充電部５７は、親機ＢＳ１の充電部４９との接続端を備え、親機ＢＳ１から電力の供給を受けてバッテリ５８を受電する機能を実現する。バッテリ５８は、充電を行うことにより電気を蓄えて電池として使用できる様になり、繰り返し使用することが出来る二次電池である。電源供給回路５９、バッテリ５８から電力の供給を受けて、子機ＨＳ１の各部に供給する電力を生成して各部に供給する。従って、子機ＨＳ１は、バッテリ５８に電気が蓄えられている間は、電源供給回路５９を介して駆動電力を各部に供給し、機能することができるバッテリ駆動の機器である。
【００８０】
また、親機ＢＳ１に子機ＨＳ１が載置され、親機ＢＳ１から子機ＨＳ１に電力が供給されている状態から例えば子機ＨＳ１を親機ＢＳ１から取り上げるなどして電力が供給されなくなったとする。この状態は充電部５７が検知し、電力が供給されなくなったこと、すなわち自機がオフフック状態になったことを制御回路５２に通知する。また、子機ＨＳ１には、操作部６０が設けられている。操作部６０は、オフフックキー、オンフックキー、テンキー、いくつかのファンクションキーが設けられており、親機ＢＳ１に載置されていない状態でも、操作部６０のオフフックキーを操作して、着信に応答したり、発信したりすることができるようになっている。
【００８１】
そして、制御回路５２は、この子機ＨＳ１からの発呼には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。更に、制御回路５２は、自機がオフフック状態になり、かつ、自機に対応する親機ＢＳ１との間で通信ができないこと、すなわち自機の親機との間で圏外の状態になっていることを検知したとする。この場合、制御回路５２は、駆動電力の供給再開要求を形成して、これを無線通信回路５１を通じて給電継続親機に向けて送信する処理も行う。
【００８２】
［電話システムで送受される通知等の例］
次に、この電話システムを構成する各機器の動作を説明するに先立って、各機器間で送受される通知等の例について説明する。図９は、各機器間で送受される送信データの例について説明するための図である。この実施の形態の電話システムにおいて、各機器間で送受される送信データは、図９（Ａ）に示すように、区分、送信先、送信元、対象装置又は対象接続ポートからなる。
【００８３】
区分は、当該送信データがどのようなデータなのかを示す例えば２桁の数字情報である。送信先は当該送信データの送信先を示す識別子であり、例えば上述した整理番号又はハブ識別子である。送信元は当該送信データの送信元を示す識別子であり、例えば上述した整理番号である。なお、整理番号に替えて、ＩＰアドレスやＭＡＣアドレスといった識別情報を用いることも可能である。そして、対象装置又は対象接続ポートのうち、対象装置は、対象となるコードレス電話装置の整理番号であり、対象接続ポートは送信先となる給電ハブ装置の接続ポート識別子である。以下においては、説明を簡単にするため、主装置１については、整理番号のような識別情報ではなく、そのまま「主装置」と記載する。
【００８４】
図９（Ｂ）は、主装置１から給電継続親機に送信される給電オフ親機通知を示している。この実施の形態では、上述もしたように、整理番号が「００１」のコードレス電話装置３１の親機ＢＳ１が給電継続親機となる。また、整理番号が「００２」〜「００７」のコードレス電話装置３２〜３７の親機ＢＳ２〜ＢＳ７が給電オフ親機となる。このため、図９（Ｂ）に示すように、区分が「９１」の給電オフ親機通知が、主装置１から整理番号が「００１」のコードレス電話装置３１の親機ＢＳ１に対して送信される。
【００８５】
この場合、親機ＢＳ１に対しては、整理番号が「００２」〜「００７」のコードレス電話装置３２〜３７の親機ＢＳ２〜ＢＳ７が電源オフ親機であることが通知される。これにより、親機ＢＳ１は、整理番号が「００２」〜「００７」のコードレス電話装置３２〜３７の子機ＨＳ２〜ＨＳ７からの給電再開要求を受信して処理するようにされる。
【００８６】
図９（Ｃ）は、主装置１から給電継続親機に送信される給電オフ指示を示している。給電オフ指示は、下位装置への駆動電力の給電を停止することを指示するものであり、区分が「９２」の送信データである。図９（Ｃ）に示す給電オフ指示の例は、ハブ識別子が「ＨＵＢ０１」である給電ハブ装置２に対して、ポート識別子が「０２」〜「０７」に接続されている下位装置への駆動電力の給電を停止することを指示するものである。もちろん、接続ポート識別子を例えば「０２」だけにすれば、接続ポート識別子が「０２」で特定される接続ポートに接続されているコードレス電話装置３２の親機ＢＳ２への駆動電力の供給だけを停止することもできる。
【００８７】
図９（Ｄ）は、主装置１から給電継続親機に送信される給電オン指示を示している。給電オン指示は、下位装置への駆動電力の給電を再開することを指示するものであり、区分が「９３」の送信データである。図９（Ｄ）に示す給電オン指示の例は、ハブ識別子が「ＨＵＢ０１」である給電ハブ装置２に対して、ポート識別子が「０２」〜「０７」に接続されている下位装置への駆動電力の給電を再開することを指示するものである。もちろん、接続ポート識別子を例えば「０２」だけにすれば、接続ポート識別子が「０２」で特定される接続ポートに接続されているコードレス電話装置３２の親機ＢＳ２への駆動電力の供給だけを再開することもできる。
【００８８】
図９（Ｅ）は、給電継続親機から主装置１に送信される給電再開要求を示している。この給電再開要求は、主装置１に対して停止した駆動電力の給電の再開を要求するものであり、区分が「９４」の送信データである。図９（Ｅ）に示す給電再開要求の例は、給電継続親機である整理番号が「００１」のコードレス電話装置３１の親機ＢＳ１が主装置１に対して、整理番号が「００２」で特定されるコードレス電話装置３２の親機ＢＳ２への駆動電力の供給の再開を要求するものである。
【００８９】
図９（Ｆ）は、子機から給電継続親機に送信される給電再開要求を示している。この給電再開要求は、給電継続親機に対して停止した駆動電力の給電の再開を、主装置１に要求するように促す（要求する）ものであり、区分が「９５」の送信データである。図９（Ｆ）に示す給電再開要求の例は、整理番号が「００２」で特定されるコードレス電話装置３２の子機ＨＳ２から、整理番号が「００１」で特定されるコードレス電話装置３１の給電継続親機ＢＳ１に対して送信されるものである。そして、図９（Ｆ）に示す給電再開要求の例は、整理番号が「００２」特定されるコードレス電話装置３２の親機ＢＳ２への駆動電力の供給の再開を要求するものである。
【００９０】
したがって、図９（Ｂ）の給電オフ親機通知により、給電継続親機に対して、どのコードレス電話装置の子機からの給電再開要求を処理すればよいかを指示することができる。そして、図９（Ｃ）の給電オフ指示により主装置１が給電ハブ装置２に対して目的とするコードレス電話装置の親機への駆動電力の供給の停止を指示することができる。逆に、図９（Ｄ）の給電オン指示により主装置１が給電ハブ装置２に対して、駆動電力の供給が停止されている目的とするコードレス電話装置の親機への駆動電力の供給の再開を指示することができる。
【００９１】
また、図９（Ｅ）の給電再開要求により、駆動電力の供給が停止された子機からの要求に応じて、供給継続親機が主装置１に対して目的とするコードレス電話装置の親機への駆動電力の供給の再開を要求することができる。また、図９（Ｆ）の給電再開要求により駆動電力の供給が停止された子機が給電継続親機に対して、自機が対応する親機への駆動電力の供給の再開を要求することができる。このような、送信データが送受されることにより、この実施の形態の電話システムでは、コードレス電話装置の親機への駆動電力の供給を適切に制御して、消費電力の省力化を図っている。
【００９２】
［電話システムを構成する機器で行われる処理］
次に、この実施の形態の電話システムを構成する各機器で行われる処理について説明する。以下においても、整理番号が「００１」のコードレス電話装置３１の親機ＢＳ１が給電継続親機となり、整理番号が「００２」〜「００７」のコードレス電話装置３２〜３７の親機ＢＳ２〜ＢＳ７が給電オフ親機となる場合を例にして説明する。このため、整理番号が「００１」のコードレス電話装置３１の親機ＢＳ１には、図９（Ｂ）に示した電源オフ親機通知により、整理番号が「００２」〜「００７」のコードレス電話装置３２〜３７の親機ＢＳ２〜ＢＳ７が給電オフ親機であることが通知されているものとする。
【００９３】
＜主装置１の処理＞
図１０は、主装置１で行われる駆動電力の供給制御に関する処理を説明するためのフローチャートである。この図１０に示す処理は、電源が投入されている主装置１の制御部１２０の制御の下、主に給電管理部１０６によって、常時実行される処理である。給電管理部１０６は、駆動電力オン／オフテーブル１０８（図４）の格納データと図示しない時計回路が提供する現在時刻とに基づき、配下のコードレス電話装置への駆動電力の給電をオフにするタイミングが到来したか否かを判別する（ステップＳ１０１）。
【００９４】
ステップＳ１０１の判別処理において、駆動電力の給電をオフにするタイミングが到来したと判別したとする。この場合、給電管理部１０６は、図９（Ｃ）を用いて説明した給電オフ指示を形成し、給電ハブ装置２に送信する（ステップＳ１０２）。図９（Ｃ）を用いて説明した給電オフ指示は、給電ハブ装置２の接続ポート２Ｐ（２）〜２Ｐ（７）に接続されているコードレス電話装置３２〜３７の親機ＢＳ２〜ＢＳ７への駆動電力の供給を停止するようにするものである。この給電オフ指示は、図４を用いて説明した駆動電力オン／オフテーブル１０８の格納データと、図３を用いて説明した接続機器管理テーブル１０７の格納データとに基づいて形成できる。
【００９５】
また、ステップＳ１０２では、ステータス管理テーブル１０９の電源ステータスの更新処理もなされ、駆動電源の供給が停止されたコードレス電話装置も特定できるようにされる。そして、ステップＳ１０１の判別処理において、駆動電力の給電をオフにするタイミングは到来していないと判別した場合と、ステップＳ１０２の処理の後においては、ステップＳ１０３の判別処理を実行する。
【００９６】
すなわち、給電管理部１０６は、ステータス管理テーブル１０９（図５）の格納データを参照し、駆動電力の供給をオフにしたコードレス電話装置の親機が存在するか否かを判別する（ステップＳ１０３）。ステップＳ１０３の判別処理において、駆動電力の供給をオフにしたコードレス電話装置の親機は存在しないと判別したときには、ステップＳ１０１からの処理を繰り返すようにする。
【００９７】
また、ステップＳ１０３の判別処理において、駆動電力の供給をオフにしたコードレス電話装置の親機が存在すると判別したとする。この場合、給電管理部１０６は、駆動電力オン／オフテーブル１０８（図４）の格納データと図示しない時計回路が提供する現在時刻とに基づき、配下のコードレス電話装置への駆動電力の供給をオンにするタイミングが到来したか否かを判別する（ステップＳ１０４）。
【００９８】
ステップＳ１０４の判別処理において、配下のコードレス電話装置への駆動電力の供給をオンにするタイミングが到来したと判別したときには、この場合、給電管理部１０６は、図９（Ｄ）を用いて説明した給電オン指示を形成し、給電ハブ装置２に送信する（ステップＳ１０５）。図９（Ｄ）を用いて説明した給電オン指示は、給電ハブ装置２の接続ポート２Ｐ（２）〜２Ｐ（７）に接続されているコードレス電話装置３２〜３７の親機ＢＳ２〜ＢＳ７への駆動電力の供給を再開するようにするものである。この給電オン指示は、図４を用いて説明した駆動電力オン／オフテーブル１０８の格納データと、図３を用いて説明した接続機器管理テーブル１０７の格納データとに基づいて形成できる。
【００９９】
また、ステップＳ１０５では、ステータス管理テーブル１０９の電源ステータスの更新処理もなされ、駆動電源の供給がされているコードレス電話装置も適切に特定できるようにされる。そして、ステップＳ１０５の処理の後においては、制御部１２０は、ステップＳ１０１からの処理を繰り返すようにする。
【０１００】
また、ステップＳ１０４の判別処理において、配下のコードレス電話装置への駆動電力の供給をオンにするタイミングは到来していないと判別したとする。この場合、給電管理部１０６は、ＬＡＮＩ／Ｆ１１１を通じて、給電継続親機、この例においてはコードレス電話装置３１の親機ＢＳ１からの図９（Ｅ）に示した給電再開要求を受信するようにする（ステップＳ１０６）。そして、給電継続親機からの給電再開要求を受信したか否かを判別する（ステップＳ１０７）。
【０１０１】
ステップＳ１０７の判別処理において、給電継続親機からの給電再開要求を受信したと判別したときには、給電管理部１０６は、給電の再開が要求された給電オフ親機に対する給電オン指示（図９（Ｄ））を形成し、これを給電ハブ装置２に送信する（ステップＳ１０８）。これにより、給電再開要求がなされたコードレス電話装置の親機への駆動電力の供給が再開され、コードレス電話装置として機能することができるようにされる。ステップＳステップＳ１０７の判別処理において、給電継続親機からの給電再開要求は受信していないと判別したときと、ステップＳ１０８の処理の後においては、制御部１２０は、ステップＳ１０１からの処理を繰り返すようにする。
【０１０２】
このように、主装置１は、図１０に示すフローチャートの処理を実行することにより、主装置１が給電ハブ装置２を制御して、給電ハブ装置２に接続されたコードレス電話装置３２〜３ｎのそれぞれごとに、駆動電力の供給のオン／オフ制御ができる。この場合の駆動電力のオン／オフ制御は、駆動電力を供給するのか、供給を完全に停止するのかを制御することを意味する。
【０１０３】
従って、駆動電力の供給を完全に停止することができるので、コードレス電話装置の消費電力の省力化を最大限に行うことが可能になる。しかし、給電継続親機に対しては駆動電力の供給を停止させることがないようにし、駆動電力の供給を停止したコードレス電話装置のバッテリ駆動の子機からの要求に応じて、駆動電力の供給を再開できるようにする経路をも備える。これにより、駆動電力の供給を停止したコードレス電話装置が完全に使用できなくことも防止される。
【０１０４】
＜給電ハブ装置２の処理＞
図１１は、給電ハブ装置２で行われる駆動電力の供給制御に関する処理を説明するためのフローチャートである。この図１１に示す処理は、電源が投入されている給電ハブ装置２の切替制御部２２が常時実行している処理である。電源が投入された給電ハブ装置２では、まず、自機が受信した受信データを適切な相手先に送信する処理を開始する（ステップＳ２０１）。
【０１０５】
次に、切替制御部２２は、主装置１からの制御信号を受信するようにし（ステップＳ２０２）、主装置１からの制御信号を受信したか否かを判別する（ステップＳ２０３）。ステップＳ２０３の判別処理において、主装置１からの制御信号は受信していないと判別した時には、切替制御部２２は、ステップＳ２０２からの処理を繰り返す。ステップＳ２０３の判別処理において、主装置１からの制御信号を受信したと判別したときには、切替制御部２２は、当該制御信号は、区分が「９２」の給電オフ指示（図９（Ｃ））か否かを判別する（ステップＳ２０４）。
【０１０６】
ステップＳ２０４の判別処理において、受信した主装置１からの制御信号が給電オフ指示であると判別したとする。この場合、切替制御部２２は、切替部２７（２）〜２７（ｎ）のうち、指示された接続ポートに対応する切替部を制御して、指示された接続ポートを通じてのコードレス電話装置の親機への駆動電力の供給を停止する（ステップＳ２０５）。この後、切替制御部２２は、ステップＳ２０２からの処理を繰り返すようにする。
【０１０７】
ステップＳ２０４の判別処理において、受信した主装置１からの制御信号は給電オフ指示ではないと判別したときには、切替制御部２２は、受信した主装置１からの制御信号は給電オン指示（図９（Ｄ））か否かを判別する（ステップＳ２０６）。ステップＳ２０６の判別処理において、受信した主装置１からの制御信号が給電オン指示であると判別したとする。この場合、切替制御部２２は、切替部２７（２）〜２７（ｎ）のうち、指示された接続ポートに対応する切替部を制御して、指示された接続ポートを通じてのコードレス電話装置の親機への駆動電力の供給を再開する（ステップＳ２０７）。この後、切替制御部２２は、ステップＳ２０２からの処理を繰り返すようにする。
【０１０８】
また、ステップＳ２０６の判別処理において、受信した主装置１からの制御信号が給電オン指示ではないと判別したとする。この場合、切替制御部２２は、受信した制御信号に応じた処理を実行する（ステップＳ２０８）。例えば、各コードレス電話装置３１〜３ｎへのＬＥＤ（Light Emitting Diode）に関する制御信号などの場合には、これを制御対象の機器に提供するなどの処理を行うことになる。この後、切替制御部２２は、ステップＳ２０２からの処理を繰り返すようにする。
【０１０９】
このように、この実施の形態の給電ハブ装置２は、主装置１からの制御信号に基づいて、自機の複数の接続ポートに接続されているコードレス電話装置３２〜３ｎの親機ＢＳ２〜ＢＳｎのそれぞれごとに、駆動電力を供給するか否かを制御することができる。
【０１１０】
＜給電継続親機の処理＞
図１２は、給電継続親機で行われる駆動電力の供給制御に関する処理を説明するためのフローチャートである。この図１２に示す処理は、駆動電力が継続して供給される給電継続親機（この実施の形態の電話システムではコードレス電話装置３１の親機ＢＳ１）の制御回路４１が常時実行するようにしている処理である。給電継続親機である親機ＢＳ１の制御回路４１は、無線通信回路４４を通じて近隣の子機からの要求等を受信するようにし（ステップＳ３０１）、子機からの要求等を受信したか否かを判別する（ステップＳ３０２）。
【０１１１】
ステップＳ３０２の判別処理において、子機からの要求等は受信していないと判別したときには、制御回路４１はステップＳ３０１からの処理を繰り返す。また、ステップＳ３０２の判別処理において、子機からの要求等を受信したと判別したとする。この場合には、上述もしたように、給電継続親機である親機ＢＳ１に対して給電制御のためにペアリングされた子機ＨＳ２〜ＨＳ７のうちのいずれかの子機からの給電再開要求を受信したか否かを判別する（ステップＳ３０３）。
【０１１２】
ステップＳ３０３の判別処理において、給電制御のためにペアリングされた子機ＨＳ２〜ＨＳ７のうちのいずれかの子機からの給電再開要求を受信したと判別したとする。この場合、制御回路４１は、給電再開要求（図９（Ｅ））を形成し、これを、回線ＬＳＩ部４２、ＬＡＮＩ／Ｆ４７及び接続ポート４Ｐを通じて主装置１に送信する（ステップＳ３０４）。これにより、給電再開要求を送信してきた子機に対応する給電オフ親機への駆動電力の供給が再開するようにされ、給電再開要求を送信してきた子機を用いて電話をかけるなどのことができるようにされる。
【０１１３】
また、ステップＳ３０３の判別処理において、給電制御のためにペアリングされた子機ＨＳ２〜ＨＳ７のうちのいずれかの子機からの給電再開要求は受信していないと判別したとする。この場合、受信した要求等は、給電継続親機に対応する子機ＨＳ１からの要求等であるので、制御回路４１は、要求に応じた処理を実行する（ステップＳ３０５）。従って、ステップＳ３０５では、着信に応答して通話回線を接続し、通話を行うようにしたり、子機を通じてオフフックして発信情報を受け付けて目的する相手先に電話をかけて通話回線を接続し、通話を行うようにしたりすることができるようにされる。そして、ステップＳ３０４の処理の後と、ステップＳ３０５の処理の後においては、制御回路４１は、ステップＳ３０１からの処理を繰り返すようにする。
【０１１４】
このように、給電継続親機は、駆動電力の供給制御のためにペアリングされた子機からの給電再開要求に応じて、その子機が対応する給電オフ親機に対して駆動電力の供給の再開を要求することができるようにされる。
【０１１５】
＜子機の処理＞
図１３は、コードレス電話装置の子機で行われる駆動電力の供給制御に関する処理を説明するためのフローチャートである。この図１３に示す処理は、給電ハブ装置２に接続された全てのコードレス電話装置３１〜３ｎの子機ＨＳ１〜ＨＳｎの制御回路５２で行われる処理である。ここでは説明を簡単にするため、給電オフ親機として機能する親機ＢＳ２と共にコードレス電話装置３２を構成する子機ＨＳ２で行われる処理として説明するが、他のコードレス電話装置の子機においても同様に行われる処理である。
【０１１６】
コードレス電話装置３２の子機ＨＳ２は親機にＢＳ２に載置された状態にあるときには、親機ＢＳ２から電力の供給を受けて充電部５７がバッテリ５８を充電する。この場合、充電部５７から親機ＢＳ２より電力が供給されていることを示す信号が制御回路５２に供給されている。このため、子機ＨＳ２が親機ＢＳ２に載置された状態から使用者によって取り上げられるなどすることによって親機ＢＳ２からの電力の供給がなくなると、制御回路５２はオフフックされたと判別できるようになっている。
【０１１７】
また、子機ＨＳ２の操作部６０には、オフフックキーが設けられている。このため、子機ＨＳ２が親機ＢＳ２に載置された状態からでなくとも、操作部６０のオフフックキーが操作されると、これを示す信号が操作部６０から制御回路５２に供給され、制御回路５２はオフフックされたと判別できるようになっている。そこで、子機ＨＳ２の制御回路５２は、まず、自機がオフフックされたか否か（オフフック状態になったか否か）を判別する（ステップＳ４０１）。
【０１１８】
ステップＳ４０１の判別処理において、オフフックされていないと判別したときには、制御回路５２は、ステップＳ４０１からの処理を繰り返し、オフフックされるのを待つ。ステップＳ４０１の判別処理において、オフフックされたと判別したときには、制御回路５２は、無線通信回路５１を通じて自機と対応する親機ＢＳ２との間で通信を行うようにして圏外確認を行う（ステップＳ４０２）。つまり、オフフックされたことを検知した子機ＨＳ２の制御回路５２は、自機に対応する親機ＢＳ２にオフフック通知を送信するが、親機ＢＳ２に駆動電力が供給されていない場合には、親機ＢＳ２から応答が返信されてこない。この場合には、子機ＨＳ２は自機が親機ＢＳ２と通信ができない圏外にあると認識することになる。
【０１１９】
このため、制御回路５２は、ステップＳ４０２の確認処理に基づき、自機は対応する親機ＨＳ２と通信ができない圏外にあるか否かを判別する（ステップＳ４０３）。ステップＳ４０３の判別処理において、自機は圏外ではないと判別したときには、ＨＳ２は対応する親機ＢＳ２と通信が可能な状態であるので、オフフック後の通常の処理を実行するようにする（ステップＳ４０６）。これにより、子機ＨＳ２と親機ＢＳ２とからなるコードレス電話装置３２は通常通り動作し、電話をかけたり、かかってきた電話に応答したりすることができる。なお、ステップＳ４０６の処理の後においては、制御回路５２は、ステップＳ４０１からの処理を繰り返すようにする。
【０１２０】
一方、ステップＳ４０３の判別処理において、自機は圏外にあると判別したときには、対応する親機ＨＳ２に駆動電力が供給されておらず、その全ての機能が停止した状態にあることが考えられる。このため、制御回路５２は、給電再開要求（図９（Ｆ））を形成し、これを給電供給制御のためにペアリングされている給電継続親機に送信する（ステップＳ４０４）。この場合の給電再開要求は、区分が「９５」で送信先が親機ＢＳ１に対応する整理番号の「００１」で、送信元が子機ＨＳ２に対応する整理番号の「００２」で、対象装置は子機ＨＳ２に対応する親機ＢＳ２に対応する整理番号「００２」となる。
【０１２１】
この実施の形態においては上述したように、給電継続親機はコードレス電話装置３１の親機ＢＳ１である。そして、給電継続親機ＢＳ１は、自機に対応する子機ＨＳ１以外の子機ＨＳ２〜ＨＳｎからの給電再開要求を受け付けるように、子機ＨＳ２〜ＨＳｎと給電供給制御のためにペアリングされている。そして、上述したように、給電継続親機ＢＳ１が機能して、主装置１に対して子機ＨＳ２に対応する親機ＢＳ２への駆動電力の供給再開を要求し、主装置１が給電ハブ装置２を制御して、親機ＨＳ２への駆動電力の供給を再開するので、子機ＨＳ２は、自機に対応する親機ＢＳ２と間で通信が可能になり圏内になるまで、待ち状態となる（ステップＳ４０５）。
【０１２２】
ステップＳ４０５の判別処理において、ＨＳ２の制御回路５２は、自機に対応する親機ＢＳ２の圏内にあると判別したときには、子機ＨＳ２がオフフックされた後の通常の処理が行うようにされる（ステップＳ４０６）。これにより、駆動電力の供給が停止された親機ＢＳ２に対応する子機ＨＳ２がオフフックされた場合には、親機ＢＳ２への駆動電力の供給を再開して、電話をかけたり、かかってきた電話に応答したりすることができる。なお、上述もしたように、ステップＳ４０６の処理の後においては、制御回路５２は、ステップＳ４０１からの処理を繰り返すようにする。
【０１２３】
このように、駆動電力の供給が停止された親機ＢＳ２の子機ＨＳ２が使用するようにされた場合には、供給継続親機である親機ＢＳ１を経由して、主装置１が給電ハブ装置２を制御して、親機ＢＳ２への駆動電力の供給を再開し、迅速に使用可能状態にできる。従って、親機ＢＳ２に駆動電力が供給されていない状態であっても、親機ＢＳ２に対応する子機ＨＳ２がオフフックされたことを契機として、親機ＨＳ２への駆動電力の供給を再開させ、コードレス電話装置３２を適切に駆動させて利用することができる。
【０１２４】
［駆動電力の供給を再開した後の再度の停止処理］
なお、例えば、午後８時から翌日の午前８時までの駆動電力の供給停止期間において、子機ＨＳ２がオフフックされたために、対応する親機ＢＳ２への駆動電力の供給を再開させてコードレス電話装置３２が使用されたとする。この後、例えば、かけた電話が終了し、オンフック状態になると、ステータス管理テーブル１０９の格納データによって、コードレス電話装置３２は、電源ステータスが「１：供給中」で、動作ステータスが「オンフック」になる。また、駆動電力オン／オフテーブル１０８の格納データにより、コードレス電話装置３２は、午後８時から翌日の午前８時までは駆動電力の供給停止期間であることも分かる。
【０１２５】
このように、駆動電力の供給停止期間において、駆動電力が「１：供給中」で、動作状態が「オンフック」であれば、主装置１は、当該コードレス電話装置３２の親機ＢＳ２への駆動電力の供給を停止するように給電ハブ装置２を制御できる。これにより、駆動電力の供給停止期間において、子機がオフフックされたことを契機に対応する親機に駆動電力の供給を再開しても、その使用が終了すれば、再度、駆動電力の供給を停止することができる。従って、駆動電力の供給停止期間において、コードレス電話装置の親機への駆動電力の供給が再開されても、その後にそのコードレス電話装置の使用が終了すれば、駆動電力の供給を停止する。従って、消費電力の省力化が阻害されることもないようにできる。
【０１２６】
［実施の形態の効果］
この実施の形態の電話システムにおいては、主装置１が給電ハブ装置２を制御することにより、接続ポートごとにコードレス電話装置の親機への駆動電力の供給と停止とを制御できる。このように、給電ハブ装置２に接続されたコードレス電話装置への駆動電力の供給を停止できるので、コードレス電話装置の消費電力の省力化を最大限に実現することができる。
【０１２７】
また、給電ハブ装置２に接続される複数のコードレス電話装置のうち、１つのコードレス電話装置の親機を給電継続親機として駆動電力の供給を継続させ、駆動電力の供給が停止された親機に対応する子機からの給電再開要求を受信可能な構成を有する。これにより、駆動電力の供給が停止された親機に対応する子機が使用するようにされた場合には、給電継続親機を経由して、主装置１に対して目的とする親機への駆動電力の供給再開を要求できるので、コードレス電話装置が全く機能しなくなる状態を生じさせないようにできる。
【０１２８】
このように、この実施の形態電話システムは、駆動電力の供給を停止することにより、最大限にコードレス電話装置の消費電力の省力化を図ることができる共に、コードレス電話装置が機能しなくなる状態を生じさせることもない。
【０１２９】
［変形例］
なお、上述した実施の形態においては、主装置１に対して１台の給電ハブ装置２が接続されて電話システムが構成される場合を例にして説明したが、これに限るものではない。主装置１に対して複数の給電ハブ装置２が並列に接続されることにより構成される電話システムにも、また、複数の給電ハブ装置２が直列に接続されることにより構成される電話システムにも、この発明を適用することができる。
【０１３０】
このように、複数の給電ハブ装置２が用いられて大規模な電話システムが構築される場合には、給電ハブ装置２ごとであって接続ポートごとに駆動電力の供給／停止の制御を行うようにすればよい。また、複数の給電ハブ装置２が用いられて大規模な電話システムが構築される場合には、複数の給電継続親機を設け、複数の給電継続親機ごとに、給電制御のためにペアリングされる子機を分散するように設定すればよい。
【０１３１】
また、給電継続親機に対して、給電制御のための子機をペアリングさせる必要はなく、給電継続親機は、子機からの給電再開要求を受信したときには、これを主装置１に転送するようにしてもよい。この場合、複数の給電継続親機が存在する場合には、同じ親機についての複数の給電再開要求が異なる給電継続親機から主装置１に送信される場合もあると考えられる。しかし、主装置１ではそのうち、最も早く到来した給電再開要求を採用し、他の給電再開要求は無視するようにすればよい。
【０１３２】
また、着信時において、給電オフ親機への駆動電力の供給を停止している場合には、各給電オフ親機においても着信応答が可能なように、各給電オフ親機に対して駆動電力の供給を一斉に再開するようにしてもよい。この場合に、いずれかのコードレス電話装置で着信応答がされた場合には、他の給電オフ親機への駆動電力の供給は再度停止させる。また、着信応答を行ったコードレス電話装置の親機が給電オフ親機である場合には、通話が終了してオンフック状態になったら、当該給電オフ親機に対する駆動電力の供給も停止させるように制御すればよい。これにより、着信に迅速に応答可能であると共に、各コードレス電話装置の消費電力についても、省力化することができる。
【０１３３】
［その他］
特許請求の範囲の給電ハブ装置の切替手段の機能は、実施の形態の給電ハブ装置２の切替部２７（１）〜２７（ｎ）が実現している。同給電ハブ装置の切替制御手段の機能は、給電ハブ装置２の切替制御部２２が実現している。また、特許請求の範囲の主装置の給電管理手段の機能は、実施の形態の主装置１の給電管理部１０６が実現している。また、同主装置の記憶手段の機能は、主装置１の接続機器管理テーブル１０７が実現している。また、同主装置の通知手段の機能は、主装置１のＬＡＮＩ／Ｆ１１１及び接続ポート１１０が実現している。
【０１３４】
また、特許請求の範囲の給電継続親機の受付手段の機能は、実施の形態の親機ＢＳ１の無線通信回路４４が実現している。また、同給電継続親機の親機側送信手段の機能は、親機ＢＳ１の制御回路４１及び回線ＬＳＩ部４２が実現している。また、特許請求の範囲の子機のバッテリ手段の機能は、実施の形態の子機ＨＳ１等のバッテリ５８が実現している。また、同子機の子機側送信手段の機能は、子機ＨＳ１等の制御回路５２及び無線通信回路５１が実現している。
【符号の説明】
【０１３５】
１…主装置、１０１…ＩＰ網への接続ポート、１０２…ＩＰ網Ｉ／Ｆ、１０３…パケット分解／生成部、１０４…電話網への接続ポート、１０５…電話網Ｉ／Ｆ、１０６…給電管理部、１０７…接続機器管理テーブル、１０８…駆動電力オン／オフテーブル、１０９…ステータス管理テーブル、１１０…ＬＡＮへの接続ポート、１１１…ＬＡＮＩ／Ｆ、１２０…制御部、２…給電ハブ装置、２１…ＬＡＮＩ／Ｆ、２２…切替制御部、２３（１）〜２３（ｎ）…ＬＡＮＩ／Ｆ、２（１）〜２Ｐ（ｎ）…接続ポート、２４…発振器、２５…同期信号生成回路、２６…電源回路、２７（１）〜２７（ｎ）…切替部、３１〜３ｎ…コードレス電話装置、ＢＳ１〜ＢＳｎ…親機、４１…制御回路、４２…回路ＬＳＩ部、４３…同期信号発生回路、４４…無線通信回路、４５、４６…発振器、４７…ＬＡＮＩ／Ｆ、４Ｐ…接続ポート、４８…電源供給回路、４９…充電部、ＨＳ１〜ＨＳｎ…子機、５１…無線通信回路、５２…制御回路、５３…コーデック回路、５４…発振器、５５…受話器（スピーカ）、５６…送話器（マイクロホン）、５７…充電部、５８…バッテリ、５９…電源供給回路、６０…操作部
【図１】
2019087863.tif 000003
【図２】
2019087863.tif 000004
【図３】
2019087863.tif 000005
【図４】
2019087863.tif 000006
【図５】
2019087863.tif 000007
【図６】
2019087863.tif 000008
【図７】
2019087863.tif 000009
【図８】
2019087863.tif 000010
【図９】
2019087863.tif 000011
【図１０】
2019087863.tif 000012
【図１１】
2019087863.tif 000013
【図１２】
2019087863.tif 000014
【図１３】
2019087863.tif 000015